(57)【特許請求の範囲】
【請求項１】
容器の口部に形成されたねじに取り付けられたり、そのねじから取り外されたりする安全キャップであって、
前記ねじに螺合する内キャップと、
その内キャップに被せられ、その外周の周りに回転する外キャップとからなり、
前記内キャップと外キャップとの間に、一定の空隙部が形成され、
前記内キャップの外周の一部に、複数の縦リブが形成され、
前記外キャップの内周の一部に前記内キャップの縦リブと係合する複数の縦溝が形成され、
それら縦リブおよび縦溝が空隙部が形成されている部位に設けられ、
前記外キャップの外周で、その内周の縦溝に対応する位置に、外キャップを押圧して内キャップと係合させる部分を示す押圧部が形成され、
前記内キャップの天面上に、係合片が形成され、
前記外キャップの天面下側に、開口部を閉じる方向の回転においてのみ前記係合片と係合する段差係合部が形成され、
前記外キャップを容器の開口部を閉じる方向に回転させ、係合片と段差係合部とが係合した際に、前記押圧部が、内キャップの縦リブが形成された位置に配置されることを特徴とする安全キャップ。
【発明の詳細な説明】
【０００１】
【発明の属する技術分野】
この発明は、安全キャップに関し、さらに詳しくは幼児が薬品を収納した容器に、不用意に手を出した場合であっても、幼児が容易にキャップを取外すことができない安全キャップに関する。
【０００２】
【従来の技術】
従来、幼児が薬品を収納したチューブ容器、ボトル、瓶等を不用意に開封して飲食することにより、大事故が起こることがあり、これを防止するため多くの安全キャップが発明されている。このような従来の安全キャップとしては、例えばキャップを開口する場合、まずキャップを上方に引き上げ、或いは下方に押し下げ、その後に、これを回転することにより、キャップを容器から取外すことができる二段階の操作を必要とする構造のキャップや幼児によるキャップの開口の困難性を重視する目的からキャップの構造を頗る複雑にしたキャップがあった。
【０００３】
【発明が解決しようとする課題】
しかしながら、上記前者のキャップは、幼児といえどもキャップをいじっている間に、キャップが開口する危険性があった。又、後者のキャップは、大人による開口操作も困難になり、使い勝手が悪く製造コストも高いという欠点があった。
【０００４】
この発明は、このような従来の課題に着目してなされたもので、幼児が開口できる危険性がなく、かつ大人にとって開口操作が容易で、製造コストの安価な安全キャップを提供することを目的とする。
【０００５】
【課題を解決するための手段】
この課題を解決するため、この発明は、容器の口部に形成されたねじに取り付けられたり、そのねじから取り外されたりする安全キャップであって、前記ねじに螺合する内キャップと、その内キャップに被せられ、その外周の周りに回転する外キャップとからなり、前記内キャップと外キャップとの間に、一定の空隙部が形成され、前記内キャップの外周の一部に、複数の縦リブが形成され、前記外キャップの内周の一部に前記内キャップの縦リブと係合する複数の縦溝が形成され、それら縦リブおよび縦溝が空隙部が形成されている部位に設けられ、前記外キャップの外周で、その内周の縦溝に対応する位置に、外キャップを押圧して内キャップと係合させる部分を示す押圧部が形成され、前記内キャップの天面上に、係合片が形成され、前記外キャップの天面下側に、開口部を閉じる方向の回転においてのみ前記係合片と係合する段差係合部が形成され、前記外キャップを容器の開口部を閉じる方向に回転させ、係合片と段差係合部とが係合した際に、前記押圧部が、内キャップの縦リブが形成された位置に配置されることを特徴とする安全キャップである。
【０００６】
【発明の実施の形態】
次に、この発明の実施の形態を図面に基づいて説明する。この発明は、チューブ容器、ボトル、エアゾール容器、瓶等の容器本体１に取付けられる安全キャップに関するものである。図１〜図８は、この発明の実施の形態を示す図面であり、チューブ容器の容器本体１の口部２外周に螺合される内キャップ３と、この内キャップ３の外周に被せられる外キャップ５とから成る二重構造のキャップである。
【０００７】
内キャップ３と外キャップ５の間には、外キャップ５が押圧されない状態において、一定の空隙部４が形成され、外キャップ５が反時計方向の回転においては、
内キャップ３に拘らず自由に回転するように被せられている。そして、図４に示すように、外キャップ５の側面の押圧部１０が押圧された場合に、外キャップ５が楕円形状に変形して、外キャップ５の内周面に形成された縦溝７と、内キャップ３の外周面に形成された縦リブ６が係合し、外キャップ５と内キャップ３が、反時計方向に一体的に回転する。なお、図２に示すように、図３及び図４の位置から、外キャップ５が９０°変位した状態では、内キャップ３と外キャップ５は各々係合しないので、外キャップ５を押圧しても、外キャップ５は内キャップ３に拘らず、自由に回転する。
【０００８】
さらに、内キャップ３の天面には、係合片８（実施例では２個）が突接され、この係合片８は、外キャップ５の天面下側に膨出して形成された段差係合部９とラチェット方式で係合する。すなわち、図６に示すように外キャップ５を時計回りに回転した場合のみ、内キャップ３の係合片８と係合し、外キャップ５と内キャップ３は一体的に回る。しかし、図７に示すように外キャップ５を、反時計回りに回転した場合は、内キャップ３の係合片８と外キャップ５の段差係合部１０は係合しないので、外キャップ５は内キャップ３の外周で空回りする。この発明に係る安全キャップは、図面に開示されたチューブ容器以外に、エアゾール容器、ボトル、瓶等にも適用できることはいうまでもない。
【０００９】
次に、この発明の作用について説明する。まず、容器本体１の口部２から、内キャップ３及び外キャップ５を外す場合は、外キャップ５を時計回りに回転し、図６のように係合片８と段差係合部９が係合した位置を確認し、その位置で図４に示すように外キャップ５の外周の押圧部１０を押圧して、外キャップ５の縦溝７と、内キャップ３の縦リブ６とを係合する。そして、この押圧した状態で、反時計回りに外キャップ５を回転することにより、容器本体１の口部２から内キャップ３及び外キャップ５を取外すことができる。そして、幼児は、外キャップ５の縦溝７と内キャップ３の縦リブ６が係合する位置で、この外キャップ５を押圧しながら回転することに気付かないため、図２又は図３の状態で外キャップ５のみを回転するが、内キャップ３との間では空回りするのみで、内キャップ３を口部２から取外すことは不可能である。
【００１０】
次に、この内キャップ３及び外キャップ５を、口部２に螺合する場合は、図６の状態で外キャップ５を時計方向に回転すると、係合片８と段差係合部１０とは、係合した状態で一体的に回転する。そして、内キャップ３と外キャップ５を、容器本体１の口部２外周に螺合することができる。この場合、外キャップ５の押圧部１０を押圧する必要がない。
【００１１】
【発明の効果】
以上説明してきたように、この発明によれば、幼児が開口できる危険性がなく、かつ大人にとって開口操作が容易で、製造コストが安価である効果を有する。
【図面の簡単な説明】
【図１】この発明に係るチューブ容器を示す正面図。
【図２】この発明に係るチューブ容器のＡ−Ａ線拡大断面図。
【図３】図２の拡大断面図において、外キャップが９０°変位した状態を示す拡大断面図。
【図４】この発明に係るチューブ容器において、外キャップの押圧部を押圧した状態を示す拡大断面図。
【図５】この発明に係るチューブ容器において、外キャップを外した状態を示す一部切欠断面図。
【図６】外キャップの段差係合部と内キャップの係合片が、係合している状態を示す一部切欠断面図。
【図７】外キャップの段差係合部と内キャップの係合片が、係合していない状態を示す一部切欠断面図。
【図８】この発明に係るチューブ容器のＢ−Ｂ線拡大断面図。
【符号の説明】
１  容器本体
３  内キャップ
４  空隙部
５  外キャップ
６  縦リブ
７  縦溝
８  係合片
９  段差係合部
１０  押圧部
【図１】
0004115580.tif 000002
【図２】
0004115580.tif 000003
【図３】
0004115580.tif 000004
【図４】
0004115580.tif 000005
【図５】
0004115580.tif 000006
【図６】
0004115580.tif 000007
【図７】
0004115580.tif 000008
【図８】
0004115580.tif 000009